(57)【要約】      （修正有）【課題】簡単に、経済的に利用することができ、生産性と実用性を向上させる連結器を提供する。【解決手段】連結器は、第一受け口と、第二受け口と、第一ピン構造及び第二ピン構造を有するブリッジ部と、を備え、第一ピン構造は、第二ピン構造に電気的に接続され、第一受け口を介して第一ＲＪ−４５ケーブルに接続され、第二ピン構造は、第二受け口を介して第二ＲＪ−４５ケーブルに接続されることを特徴とする。シャッターは、少なくとも一つの第一受け口と第二受け口に配置してある。【選択図】図３
0003162760.tif 000002
【実用新案登録請求の範囲】
【請求項１】
第一受け口と、
第二受け口と、
第一ピン構造及び第二ピン構造を有するブリッジ部と、を備え、
その中に、前記第一ピン構造は、前記第二ピン構造に電気的に接続され、前記第一受け口を介して第一ＲＪ−４５ケーブルに接続され、前記第二ピン構造は、前記第二受け口を介して第二ＲＪ−４５ケーブルに接続されることを特徴とする連結器。
【請求項２】
前記連結器の外部にある部品として、前記連結器をフレームに固定する結合部を更に備えてなることを特徴とする請求項１記載の連結器。
【請求項３】
少なくとも一つの前記第一受け口及び前記第二受け口に設けられているシャッターを更に備えてなることを特徴とする請求項１記載の連結器。
【請求項４】
第一受け口と、
第二受け口と、
第一ピン構造及び第二ピン構造を有するブリッジ部と、
ブリッジ部を収容する収容構造と、
第一受け口、第二受け口及び収容構造を被覆している殻体と、
前記殻体の外部に位置し、前記連結器をフレームに固定する結合部と、
少なくとも一つの前記第一受け口及び前記第二受け口に設けられているシャッターと、を備え、
その中に、前記第一ピン構造と前記第二ピン構造は、回路基板を介して互いに接続され、前記第一ピン構造は、前記第一受け口を介して第一ＲＪ−４５ケーブルに接続され、前記第二ピン構造は、前記第二受け口を介して第二ＲＪ−４５ケーブルに接続されることを特徴とする連結器。
【請求項５】
第一ＲＪ−４５ケーブルに接続されるための第一受け口と、
第二ＲＪ−４５ケーブルに接続されるための第二受け口と、
を備え、その中に、前記第一ＲＪ−４５ケーブルが前記第一受け口に接続され、且つ前記第二ＲＪ−４５ケーブルが前記第二受け口に接続されると、前記第一ＲＪ−４５ケーブルと前記第二ＲＪ−４５ケーブルが電気的に接続されることを特徴とする連結器。
【請求項６】
第一ピン構造と第二ピン構造を有するブリッジ部を更に備え、前記第一ピン構造と前記第二ピン構造は、回路基板を介して互いに接続され、前記第一ピン構造は、前記第一受け口を介して第一ＲＪ−４５ケーブルに接続され、前記第二ピン構造は、前記第二受け口を介して第二ＲＪ−４５ケーブルに接続されると、前記第一ＲＪ−４５ケーブルと前記第二ＲＪ−４５ケーブルが互いに電気的に接続されることを特徴とする請求項５記載の連結器。
【請求項７】
前記第一受け口、前記第二受け口及び前記ブリッジ部を被覆している殻体と、
前記殻体の外部に位置し、前記連結器をフレームに固定する結合部と、更に備えてなることを特徴とする請求項６記載の連結器。
【請求項８】
少なくとも一つの前記第一受け口及び前記第二受け口に設けられているシャッターを更に備えてなることを特徴とする請求項５記載の連結器。
【考案の詳細な説明】
【技術分野】
【０００１】
本考案は、連結器に関し、特に、ネットワークケーブルを延長するための連結器に関する。
【背景技術】
【０００２】
従来の連結器（Ｃｏｕｐｌｅｒ）は、図１（ａ）のように示す。連結器１０は、第一連結器１１と組み立てる構造１２を含んでいる。第一連結器１１の構成では、一般的な規格に適用されている。第一連結器１１は、第一連結器１１の前端にケーブル受け口１１１を有し、又、第一連結器１１の後端にもう一つのケーブル受け口（図示されない）を有する。それぞれのケーブル受け口は、異なる二つのネットワークケーブルによって挿入されて接続され、内部回路や構造の設計により、二つのネットワークケーブルが互いに電気的に接続されて延長される目的を達成する。或いは、第一連結器１１の後端には、一般的なケーブル受け口を代えて、導線を突き刺すための端を配置できる。
【０００３】
しかし、第一連結器１１は限定の構成があるため、いくつかの場合によってその構成を充分に用いることができない。従って、第一連結器１１の前端に追加の組み立てる構造１２を配置して、図１（ｂ）のような連結器１０を形成する。そうすると、連結器１０は、第一連結器１１のもとに別の構成に直接に応用することができる。
【０００４】
上記の構成のような連結器は、二つの要素を独立的に設計して生産するため、経済的に利用するものではなく、占めている空間が多く、コストも無駄に使う。故に、産業界の要求に応じて、改良された構成を有する連結器を提案する必要がある。
【考案の概要】
【考案が解決しようとする課題】
【０００５】
したがって、本考案はこのような従来の課題を解決するために、実験と研究を重ねた結果を通じて、ついに本考案の連結器を提出した。本考案の主たる目的は、従来の連結器より簡単に応用し、且つ経済的に利用することができ、実用性と便利性も著しく高めており、更に生産性を向上させる。
【課題を解決するための手段】
【０００６】
本考案は上記目的を達成するために以下のように定義される。
【０００７】
上述の目的を達成するために、本考案により提供される連結器は、第一受け口と、第二受け口と、第一ピン構造及び第二ピン構造を有するブリッジ部と、を備え、その中に、前記第一ピン構造は、前記第二ピン構造に電気的に接続され、前記第一受け口を介して第一ＲＪ−４５ケーブルに接続され、前記第二ピン構造は、前記第二受け口を介して第二ＲＪ−４５ケーブルに接続されることを特徴とする連結器。
【０００８】
上記構成の本考案に係る連結器において、前記連結器の外部にある部品として、前記連結器をフレームに固定する結合部を更に備えて成る。
【０００９】
上記構成の本考案に係る連結器において、少なくとも一つの前記第一受け口及び前記第二受け口に設けられているシャッターを更に備えてなる。
【００１０】
更には本考案により提供される連結器は、第一受け口と、第二受け口と、第一ピン構造及び第二ピン構造を有するブリッジ部と、ブリッジ部を収容する収容構造と、第一受け口、第二受け口及び収容構造を被覆している殻体と、前記殻体の外部に位置し、前記連結器をフレームに固定する結合部と、少なくとも一つの前記第一受け口及び前記第二受け口に設けられているシャッターと、を備え、その中に、前記第一ピン構造と前記第二ピン構造は、回路基板を介して互いに接続され、前記第一ピン構造は、前記第一受け口を介して第一ＲＪ−４５ケーブルに接続され、前記第二ピン構造は、前記第二受け口を介して第二ＲＪ−４５ケーブルに接続されることを特徴とする連結器。
【００１１】
更には本考案により提供される連結器は、第一ＲＪ−４５ケーブルに接続されるための第一受け口と、第二ＲＪ−４５ケーブルに接続されるための第二受け口と、を備え、その中に、前記第一ＲＪ−４５ケーブルが前記第一受け口に接続され、且つ前記第二ＲＪ−４５ケーブルが前記第二受け口に接続されると、前記第一ＲＪ−４５ケーブルと前記第二ＲＪ−４５ケーブルが電気的に接続されることを特徴とする連結器。
【００１２】
上記構成の本考案に係る連結器において、第一ピン構造と第二ピン構造を有するブリッジ部を更に備え、前記第一ピン構造と前記第二ピン構造は、回路基板を介して互いに接続され、前記第一ピン構造は、前記第一受け口を介して第一ＲＪ−４５ケーブルに接続され、前記第二ピン構造は、前記第二受け口を介して第二ＲＪ−４５ケーブルに接続されると、前記第一ＲＪ−４５ケーブルと前記第二ＲＪ−４５ケーブルが互いに電気的に接続される。
【００１３】
上記構成の本考案に係る連結器において、前記第一受け口、前記第二受け口及び前記ブリッジ部を被覆している殻体と、前記殻体の外部に位置し、前記連結器をフレームに固定する結合部と、更に備えてなる。
【００１４】
上記構成の本考案に係る連結器において、少なくとも一つの前記第一受け口及び前記第二受け口に設けられているシャッターを更に備えてなる。
【考案の効果】
【００１５】
本考案は、従来の連結器より簡単に応用し、且つ経済的に利用することができ、実用性と便利性も著しく高めており、更に生産性を向上させる。
【図面の簡単な説明】
【００１６】
【図１（ａ）】従来の連結器の構成図である。
【図１（ｂ）】従来の連結器の構成図である。
【図２】本考案の実施例による連結器の分解図である。
【図３】本考案の実施例による連結器の立体図である。
【考案を実施するための形態】
【００１７】
以下のように、本考案を実施例に基づいて詳述するが、あくまでも例示であって、本考案の範囲はこれらの実施形態に限定されない。本考案の範囲は、実用新案登録請求の範囲に記載されており、さらに実用新案登録請求の範囲の記載と均等な意味及び範囲内での全ての変更を含んでいる。
【００１８】
図２を参照して下さい。図２は、本考案の実施例による連結器の分解図である。連結器２０は、第一受け口２１、第二受け口２２、ブリッジ部２３、収容構造２４及びシャッター２５を含んでいる。ブリッジ部２３は、第一ピン構造２３１、第二ピン構造２３２、及び第一ピン構造２３１と第二ピン構造２３２とを接続する回路基板２３３を含んでいる。シャッター２５は、第一活動部２５１及び第二活動部２５２を含み、両者によりシャッター２５が構成されている。シャッター２５は、少なくとも一つの第一受け口２１及び第二受け口２２に設けられている。シャッター２５は、常に閉まる状態になり、ネットワークケーブルによって挿入されて接続されると、シャッター２５が押し上げて、受け口を現わす。このようなシャッター２５により、内部の構成を保護でき、且つゴミの侵入を防ぐことができる。
【００１９】
収容構造２４は、ブリッジ部２３を収容するためのものであり、又、第一受け口２１の第一部品２６及び第二受け口２２の第二部品２７を収容構造２４に組み立てることにより、組み立てた収容構造２４と部品２６、２７を一体化させて單一な要素になる。それぞれの第一受け口２１及び第二受け口２２は、異なる二つのＲＪ−４５ケーブルによって挿入されて接続される（図示されない）。従って、二つのＲＪ−４５ケーブルは、受け口に挿入されると、第一ピン構造２３１、回路基板２３３及び第二ピン構造２３２を介して電気的に接続されることにより、ネットワークケーブルは延長する目的を達する。
【００２０】
図３を参照して下さい。図３は、本考案の実施例による連結器の立体図である。図３によると、連結器２０の各要素を組み立てた状態及び二つの受け口２１、２２の相対位置を示しており、又、シャッター２５は開いている状態を示す。連結器２０は、更に殻体２８を有し、殻体２８は、第一受け口２１、第二受け口２２及び収容構造２４（図示されない）を被覆しており、外部に結合部２８１がある。結合部２８１は、連結器２０を固定フレームに配置する時、互いに結合して固定するためのものである。固定フレームは、通常、壁に配置され、連結器２０を固定フレームに配置するためのものである。或いは、複数の連結器が並列に配置される装置を提供してもよい。
【００２１】
図３によると、第一受け口２１は、水平方向に対し、上を向いて斜め４５度になったものである。このような第一受け口２１の設計は、建物の内部回線を最適に配置して空間を節約する必要がある。第一受け口２１は、後壁又は２つの壁の間に位置する。連結器が占めている空間を節約する目的として、本考案では、水平方向の受け口にケーブルを挿入するより斜め４５度のほうが良い。更に２つの壁の間隔を短くすることができる。本考案の実施例による受け口は、連結器２０の前端、後端及び斜め４５度の位置に配置できるが、特に限定されない。当業者であれば本考案の技術思想を逸脱しない範囲で、多様な変更及び修正が可能である。
【００２２】
なお、使用可能なネットワークケーブルの規格は、特に限定されない。即ち、例えばカテゴリー５ケーブル（Ｃａｔ  ５）、カテゴリー５ｅケーブル（Ｃａｔ  ５ｅ）、カテゴリー６ケーブル（Ｃａｔ  ６）、カテゴリー６ａケーブル（Ｃａｔ  ６ａ）、カテゴリー７ケーブル（Ｃａｔ  ７）、カテゴリー７ａケーブル（Ｃａｔ  ７ａ）及び他のケーブルの規格等を本考案の連結器に応用することができる。
【００２３】
本考案は、従来の連結器より簡単に応用し、且つ経済的に利用することができ、実用性と便利性も著しく高めており、更に生産性を向上させる。
【００２４】
以上説明した内容を通して、当業者であれば本考案の技術思想を逸脱しない範囲で、多様な変更及び修正が可能であることが分かる。従って、本考案の技術的な範囲は、明細書の詳細な説明に記載された内容に限らず、実用新案登録請求の範囲によって定めなければならない。
【符号の説明】
【００２５】
１０  連結器
１１  第一連結器
１２  組み立てる構造
２０  連結器
２１  第一受け口
２２  第二受け口
２３  ブリッジ部
２４  収容構造
２５  シャッター
２６  第一部品
２７  第二部品
２８  殻体
１１１  ケーブル受け口
２３１  第一ピン構造
２３２  第二ピン構造
２３３  回路基板
２５１  第一活動部
２５２  第二活動部
２８１  結合部
【図１（ａ）】
0003162760.tif 000003
【図１（ｂ）】
0003162760.tif 000004
【図２】
0003162760.tif 000005
【図３】
0003162760.tif 000006